(57)【要約】【課題】  販売店舗、カード会社共に負担のない形で加盟店の売上を増強し、また会員の販売店舗・サービスの利用を促進することができるカード取引装置を提供する。【解決手段】  クライアント１０２に対し販売取引に関する情報処理を行う販売店舗装置１０６と接続されたカード取引装置１０４において、クライアントからログイン情報を受信する。記憶されたログイン情報を用いて、ログイン情報の認証を行う。認証されたクライアント１０２に、該クライアント１０２のユーザが販売店舗装置１０６をアクセスするように誘導する誘導情報を提示する。販売店舗装置１０６からカード番号と取引金額とを含む売上情報を受信する。取引金額に基づいてカード番号に対応するポイント情報を更新する。受信したカード番号が誘導情報により販売店舗装置１０６に誘導されたユーザのカード番号である場合、カード番号に対応するポイント情報を更新する。【選択図】  図１
2005165786.tif 000002
【特許請求の範囲】
【請求項１】
クライアントを使用したカード決済取引に関する情報処理を行うカード取引装置と、前記クライアントとの間で販売取引に関する情報の送受を行う販売店舗装置とを有するカード取引システムにおけるカード取引装置において、
カード番号とログイン情報とを対応付けて記憶したログイン情報記憶手段と、
前記クライアントからログイン情報を受信するログイン情報受信手段と、
前記ログイン情報記憶手段に記憶されたログイン情報を用いて、前記ログイン情報受信手段により受信したログイン情報の認証を行う認証手段と、
前記認証手段により認証されたクライアントに、該クライアントのユーザが前記販売店舗装置をアクセスするように誘導する誘導情報を表示させる誘導手段と、
前記販売店舗装置からカード番号と取引金額とを含む売上情報を受信する売上情報受信手段と、
前記売上情報受信手段により受信した取引金額に基づいて前記カード番号に対応する優待情報を更新する第１更新手段と、
前記売上情報受信手段により受信したカード番号が前記誘導情報により前記販売店舗装置に誘導されたユーザのカード番号である場合、該カード番号に対応する優待情報を更新する第２更新手段と
を備えたことを特徴とするカード取引装置。
【請求項２】
前記認証手段により認証されたログイン情報を一時的に保持する保持手段を更に備え、
前記第２更新手段は、前記保持手段に保持されたログイン情報を用いて、前記売上情報受信手段により受信したカード番号が前記誘導情報により前記販売店舗装置に誘導されたユーザのカード番号であるか否かを判断することを特徴とする請求項１に記載のカード取引装置。
【請求項３】
前記第２更新手段は、
前記売上情報受信手段により受信した売上情報に基づき、前記販売店舗装置に誘導されたユーザに対応する優待情報の更新内容を決定する決定手段と、
前記販売店舗装置から、前記ユーザの誘導に基づき発生する手数料に関する情報を受信する手数料受信手段と、
前記手数料受信手段により受信した手数料に関する情報を用いて、前記決定手段により決定された更新内容を確認する確認手段と
を有することを特徴とする請求項１または２に記載のカード取引装置。
【請求項４】
クライアントを使用した販売取引に関する情報処理を行う販売店舗装置と接続されたカード取引装置により実行されるカード取引方法において、前記カード取引装置はカード番号とログイン情報とを対応付けて記憶しており、前記方法は、
前記クライアントからログイン情報を受信するログイン情報受信ステップと、
前記記憶されたログイン情報を用いて、前記ログイン情報受信ステップにおいて受信したログイン情報の認証を行う認証ステップと、
前記認証ステップにおいて認証されたクライアントに、該クライアントのユーザが前記販売店舗装置をアクセスするように誘導する誘導情報を表示させる誘導ステップと、
前記販売店舗装置からカード番号と取引金額とを含む売上情報を受信する売上情報受信ステップと、
前記売上情報受信ステップにおいて受信した取引金額に基づいて前記カード番号に対応する優待情報を更新する第１更新ステップと、
前記売上情報受信ステップにおいて受信したカード番号が前記誘導情報により前記販売店舗装置に誘導されたユーザのカード番号である場合、該カード番号に対応する優待情報を更新する第２更新ステップと
を備えたことを特徴とするカード取引方法。
【請求項５】
前記認証ステップにおいて認証されたログイン情報を一時的に保持する保持ステップを更に備え、
前記第２更新ステップは、前記保持ステップにおいて保持されたログイン情報を用いて、前記売上情報受信ステップにおいて受信したカード番号が前記誘導情報により誘導されたユーザのカード番号であるか否かを判断することを特徴とする請求項４に記載のカード取引方法。
【請求項６】
前記第２更新ステップは、
前記売上情報受信ステップにおいて受信した売上情報に基づき、前記販売店舗装置に誘導されたユーザに対応する優待情報の更新内容を決定する決定ステップと、
前記販売店舗装置から、前記ユーザの誘導に基づき発生する手数料に関する情報を受信する手数料受信ステップと、
前記手数料受信ステップにおいて受信した手数料に関する情報を用いて、前記決定ステップにおいて決定された更新内容を確認する確認ステップと
を有することを特徴とする請求項４または５に記載のカード取引方法。
【請求項７】
コンピュータを請求項１ないし３のいずれかに記載のカード取引装置として機能させるためのコンピュータプログラム。
【発明の詳細な説明】
【技術分野】
【０００１】
本発明はカード取引装置、カード取引方法およびコンピュータプログラムに関し、より詳細には、通信ネットワークを通じて行われたカード取引の決済額に応じて顧客に優待情報を付与するカード取引装置、カード取引方法およびコンピュータプログラムに関する。
【背景技術】
【０００２】
従来から知られている電子商取引では、カード会社等の決済事業者が自社会員の自社加盟店での利用を促進するため、優待対象の自社会員に商品やサービスと交換可能な独自のポイントを付与するサービスが行われている。このポイントの原資を確保する方法は、加盟店により負担する方法、カード会社により負担する方法等様々である。
【０００３】
一方で、成功報酬型の販売・斡旋代理店の仕組みとして、アフィリエイト・システムが知られている。アフィリエイト・システムでは、インターネット販売を行う販売店舗が、各自のビジネスパートナーである紹介者のウェブサイト等と協力して効果的に商品を販売できるようにする方法である。販売店舗は、販売店舗のウェブサイトへのリンクであって潜在的顧客が販売店舗から購入を始めるための商品固有のリンクを含むカタログ等を作る。顧客が販売店舗のウェブサイトへ誘導されるための紹介リンクをクリックすると、紹介情報とともに各紹介リンクが提供される。紹介情報には、紹介者のＩＤや製品のＩＤが含まれている。顧客が販売店舗から製品を購入すると、販売店舗のウェブサイトにおいて、紹介処理用ソフトの実行に基づき自動的に紹介者の誘導に関する手数料を支払う。
【０００４】
このような仕組みを用いた技術として、利用者のパソコンに専用ソフトを導入することでパソコン内にユーザ情報を格納し、このユーザ情報の制御により優待対象の有無を判断するものが知られている（例えば、特許文献１参照）。
【０００５】
【特許文献１】特表２００３−５１９４１９号公報
【発明の開示】
【発明が解決しようとする課題】
【０００６】
しかしながら、カード会社等の決済事業者において、優待対象を自社会員に限定するためには、加盟店との独自の優待契約を締結する等の手続が必要であり、加盟店の開拓・優待情報の維持管理が大変である。このため、優待の提供は加盟店、決済事業者共に負担が強いられるという問題があった。
【０００７】
また、既存のアフィリエイト・システムを使用したアフィリエイトマーケットでは、顧客を販売店舗のサイトへ誘導したことに対する紹介者への手数料が支払われているため、これを優待情報の原資として見込める。しかしながら、従来は、アフィリエイトマーケットと、既存のカード決済を使用したカード決済マーケットとを連携することができないため、紹介者への手数料を有効活用できていないという問題があった。
【０００８】
本発明はこのような問題に鑑みてなされたものであり、その目的とするところは、販売店舗、決済事業者共に負担のない形で加盟店の売上を増強し、また会員の販売店舗・サービスの利用を促進することができるカード取引装置、カード取引方法およびコンピュータプログラムを提供することにある。
【課題を解決するための手段】
【０００９】
このような目的を達成するため、請求項１に記載の発明は、クライアントを使用したカード決済取引に関する情報処理を行うカード取引装置と、前記クライアントとの間で販売取引に関する情報の送受を行う販売店舗装置とを有するカード取引システムにおけるカード取引装置において、カード番号とログイン情報とを対応付けて記憶したログイン情報記憶手段と、前記クライアントからログイン情報を受信するログイン情報受信手段と、前記ログイン情報記憶手段に記憶されたログイン情報を用いて、前記ログイン情報受信手段により受信したログイン情報の認証を行う認証手段と、前記認証手段により認証されたクライアントに、該クライアントのユーザが前記販売店舗装置をアクセスするように誘導する誘導情報を表示させる誘導手段と、前記販売店舗装置からカード番号と取引金額とを含む売上情報を受信する売上情報受信手段と、前記売上情報受信手段により受信した取引金額に基づいて前記カード番号に対応する優待情報を更新する第１更新手段と、前記売上情報受信手段により受信したカード番号が前記誘導情報により前記販売店舗装置に誘導されたユーザのカード番号である場合、該カード番号に対応する優待情報を更新する第２更新手段とを備えたことを特徴とする。
【００１０】
また、請求項２に記載の発明は、請求項１に記載のカード取引装置において、前記認証手段により認証されたログイン情報を一時的に保持する保持手段を更に備え、前記第２更新手段は、前記保持手段に保持されたログイン情報を用いて、前記売上情報受信手段により受信したカード番号が前記誘導情報により前記販売店舗装置に誘導されたユーザのカード番号であるか否かを判断することを特徴とする。
【００１１】
また、請求項３に記載の発明は、前記第２更新手段は、前記売上情報受信手段により受信した売上情報に基づき、請求項１または２に記載のカード取引装置において、前記販売店舗装置に誘導されたユーザに対応する優待情報の更新内容を決定する決定手段と、前記販売店舗装置から、前記ユーザの誘導に基づき発生する手数料に関する情報を受信する手数料受信手段と、前記手数料受信手段により受信した手数料に関する情報を用いて、前記決定手段により決定された更新内容を確認する確認手段とを有することを特徴とする。
【００１２】
また、請求項４に記載の発明は、クライアントを使用した販売取引に関する情報処理を行う販売店舗装置と接続されたカード取引装置により実行されるカード取引方法において、前記カード取引装置はカード番号とログイン情報とを対応付けて記憶しており、前記方法は、前記クライアントからログイン情報を受信するログイン情報受信ステップと、前記記憶されたログイン情報を用いて、前記ログイン情報受信ステップにおいて受信したログイン情報の認証を行う認証ステップと、前記認証ステップにおいて認証されたクライアントに、該クライアントのユーザが前記販売店舗装置をアクセスするように誘導する誘導情報を表示させる誘導ステップと、前記販売店舗装置からカード番号と取引金額とを含む売上情報を受信する売上情報受信ステップと、前記売上情報受信ステップにおいて受信した取引金額に基づいて前記カード番号に対応する優待情報を更新する第１更新ステップと、前記売上情報受信ステップにおいて受信したカード番号が前記誘導情報により前記販売店舗装置に誘導されたユーザのカード番号である場合、該カード番号に対応する優待情報を更新する第２更新ステップとを備えたことを特徴とする。
【００１３】
また、請求項５に記載の発明は、請求項４に記載のカード取引方法において、前記認証ステップにおいて認証されたログイン情報を一時的に保持する保持ステップを更に備え、前記第２更新ステップは、前記保持ステップにおいて保持されたログイン情報を用いて、前記売上情報受信ステップにおいて受信したカード番号が前記誘導情報により誘導されたユーザのカード番号であるか否かを判断することを特徴とする。
【００１４】
また、請求項６に記載の発明は、請求項４または５に記載のカード取引方法において、前記第２更新ステップは、前記売上情報受信ステップにおいて受信した売上情報に基づき、前記販売店舗装置に誘導されたユーザに対応する優待情報の更新内容を決定する決定ステップと、前記販売店舗装置から、前記ユーザの誘導に基づき発生する手数料に関する情報を受信する手数料受信ステップと、前記手数料受信ステップにおいて受信した手数料に関する情報を用いて、前記決定ステップにおいて決定された更新内容を確認する確認ステップとを有することを特徴とする。
【００１５】
また、請求項７に記載の発明は、コンピュータプログラムであって、コンピュータを請求項１ないし３のいずれかに記載のカード取引装置として機能させるためのものである。
【発明の効果】
【００１６】
本発明によれば、特定ユーザに各種店舗の報酬を提供することが可能になるので、販売店舗、カード会社共に負担のない形で加盟店の売上を増強することができる。また、カード会員による販売店舗サイトの利用、電子商取引の利用を促進することができる。
【発明を実施するための最良の形態】
【００１７】
以下、図面を参照し、本発明の好適な実施の形態について詳細に説明する。
図１は、本実施形態に係るネットワークシステムのシステム構成を概念的に示すブロック図である。同図に示すように、ネットワークシステム１は、コンピュータシステムであるクライアント１０２、カード会社サーバ１０４、ネット販売店舗サーバ１０６およびアフィリエイト事業者サーバ１０８がネットワーク１００に接続されて構成されている。
【００１８】
クライアント１０２は、カード会社の会員（カード会員）により操作されるもので、ウェブサーバからＨＴＭＬファイルをダウンロードしてディスプレイ上に表示するためのブラウザソフトを搭載している。カード会社サーバ１０４は、電子商取引において決済取引に関する情報の送受信を行う。ネットワーク１００は、加入者の端末を結ぶ電気通信回路で、インターネット、公衆電話網、専用網等を含む。アフィリエイト事業者サーバ１０８は、上述したアフィリエイトの仕組みを支援し管理するアフィリエイト事業者により管理されるコンピュータシステムである。
【００１９】
このようなシステム構成において、ネット販売店舗サーバ１０６は、ネットワーク１００を介してクライアント１０２に仮想的な店舗を提供し、商品・サービスに関する情報を提示する。ユーザは、クライアント１０２を操作してネット販売店舗サーバ１０６へアクセスし、所望の販売店舗サイトが提供する商品・サービスに関する情報を閲覧する。ユーザが所望の商品を購入する場合、クライアント１０２およびネット販売店舗サーバ１０６間で決済取引の契約に関する情報の送受信が行われる。このとき、クライアント１０２からネット販売店舗サーバ１０６へユーザのカード番号が送信される。ネット販売店舗サーバ１０６は、クライアント１０２から受信したカード番号と、決済額とを不図示の電子決済サーバを介してカード会社サーバ１０４へ送信し、与信を要求する。カード会社サーバ１０４では、受信した情報に基づいて与信処理を行い、その結果（回答）をネット販売店舗サーバ１０６へ送信する。決済を承認する旨の回答を受け取ったネット販売店舗サーバ１０６は、ユーザによる商品の購入要求を受理し、その旨をクライアント１０２へ送信する。
【００２０】
クライアント１０２が紹介者のウェブサイトから誘導されてネット販売サーバ１０６にアクセスした場合の成約情報は、ネット販売店舗サーバ１０６からアフィリエイト事業者サーバ１０８に送信される。この送信処理は、決済取引毎に行ってもよく、あるいは定期的に纏めて行っても良い。アフィリエイト事業者サーバ１０８は、受信した成約情報に基づき、紹介者によるネット販売店舗への顧客の誘導に応じて発生する販売手数料の明細情報を定期的に作成し、この情報をネット販売店舗サーバ１０６に送信する。そして、アフィリエイト事業者サーバ１０８からカード会社サーバ１０４へ、銀行に設けられた販売店舗の預金口座から紹介者およびアフィリエイト事業者の口座へ販売手数料を振り込むための振込要求が送信される。
【００２１】
以上の取引処理を経た後、通常の電子商取引における振込処理が実行され、カード会社サーバ１０４から、口座情報を管理する不図示の金融機関のサーバへ口座振替要求が送信される。金融機関のサーバは、口座振替要求に応答し、各口座の残高情報を更新する。このようにして、カード会員の預金口座からネット販売店舗を使用する販売店舗に商品の購入額が振り込まれ、また販売店舗の預金口座から紹介者およびアフィリエイト事業者の預金口座に販売手数料が振り込まれる。
【００２２】
このように、本実施形態に係るネットワークシステムは、クレジットカードを使用した電子決済取引を実現するカード取引システムとして機能すると共に、アフィリエイト・システムとしても機能する。
【００２３】
図２は、図１のネットワークシステムに含まれるクライアント１０２、カード会社サーバ１０４、ネット販売店舗サーバ１０６、アフィリエイト事業者サーバ１０８を構成するコンピュータシステムのハードウェア構成を示すブロック図である。なお、各コンピュータシステムは複数のハードウェアにより構成されるものとしても良い。
【００２４】
同図において、コンピュータシステム２００は、ＣＰＵ２０２などにより構成される中央処理装置、ＲＯＭ２０４やＲＡＭ２０６などにより構成される主記憶装置、ＨＤドライブ２０８やＦＤドライブ２１０などにより構成される外部記憶装置、マウス２１６やキーボード２１５などにより構成される入力装置、ディスプレイ２１４などにより構成される表示装置、ネットワークに接続するための通信インタフェース２１８、およびこれら各要素を通信可能に接続するシステムバス２１２を含んでいる。
【００２５】
このコンピュータシステムは、オペレーティングシステム（ＯＳ）およびアプリケーションプログラムのプログラム命令をＣＰＵ２０２が実行することにより動作する。ＯＳやアプリケーションプログラムはＨＤドライブ２０８中のＨＤに書き込まれている。そしてコンピュータシステムの電源が投入されたときにＨＤドライブ２０８に含まれるＨＤからＯＳがＲＡＭ２０６に読み出され、ＯＳの動作が開始される。
【００２６】
また、本実施形態を実現するアプリケーションログラムおよびそのプログラムの実行に関連するデータはＦＤに記録されている。そして、ＦＤがＦＤドライブ２１０にセットされると、アプリケーションプログラムおよび関連データは、ＦＤドライブ２１０を通じてコンピュータシステムにロードされる。各コンピュータシステムは、このＯＳおよびアプリケーションプログラムの制御の下に動作する。後述する本実施形態に関わる各コンピュータシステムの諸機能は、これらのコンピュータプログラムのプログラム命令を実行することにより達成される。
【００２７】
図３は、本実施形態に係るカード会社サーバ１０４の機能構成を示すブロック図である。同図に示すように、カード会社サーバ１０４は、ウェブサーバ部３０２、決済処理部３０４、突合部３０６、ポイント処理部３０８、アフィリエイト処理部３１０および記憶部３１２を含んでいる。
【００２８】
ウェブサーバ部３０２は、カード会員がパソコンから所定のログイン情報を入力してアクセス可能なカード会員専用のホームページを提供する。
【００２９】
決済処理部３０４は、カード決済取引の承認、キャッシングの承認等の与信処理を実行する。突合部３０６はデータの比較、および比較結果に応じた情報処理を実行する。ポイント処理部３０８はカード会員のカード決済額に応じてポイントを付与するため、ポイント情報を更新する。ここで、カード会員に付与するポイントは、カード決済額に所定の式を適用して算定しても良く、予め決済額と付与すべきポイント数とを対応付けたテーブルを記憶しておき、このテーブルを参照することにより、決済額に応じたポイント額を取得することとしてもよい。
【００３０】
アフィリエイト処理部３１０は、ネット販売店舗サーバから販売手数料に関する情報を受信し、販売手数料の抽出を行う。  
記憶部３１２には、データの集合（データベース）がテーブルの形式で蓄積されている。
【００３１】
図４は、カード会社サーバ１０４に定義されているデータのテーブルの一例を示す。図４（ａ）に示す会員情報テーブルは、カード会員の会員番号、カード番号、およびログイン名を対応付けたものである。図４（ｂ）に示すポイント情報テーブルは、会員番号とポイントとを対応付けたものである。ここで、ポイントは数値情報（ポイント情報）として表現される。図４（ｃ）に示す売上情報テーブルは、取引の与信を要求する加盟店から売上情報を受信した場合における、当該情報中の会員番号、カード決済の日時、加盟店番号、カード利用額を対応付けたものである。ここで、カード利用額は数値情報（カード利用額情報）として表現される。
【００３２】
次に、図５を参照し、ネット販売店舗サーバ１０６の機能構成について説明する。ネット販売店舗サーバ１０６は、ネット店舗処理部４０２と、販売処理部４０４と、アフィリエイト処理部４０６とを含んでいる。
【００３３】
ネット店舗処理部４０２は、クライアントに販売店舗のホームページおよび商品のカタログ等を提供するものであり、ウェブサーバ、通信プログラム、ＣＧＩ等の種々のプログラムを実行することによりその機能が実現される。
【００３４】
ネット店舗処理部４０２は商品固有の詳細なカタログをクライアントに表示させるためのＨＴＭＬファイルを記憶している。そして、カタログの閲覧を要求するクライアントに対し、対応する商品のカタログのＨＴＭＬファイルをダウンロードする。具体的には、クライアントによるカタログの閲覧要求は、ＨＴＭＬファイルをダウンロードするためのＵＲＬを指定して行われる。
【００３５】
販売処理部４０４は、店舗ウェブサイトとクライアントとの間での商品購入契約に関する情報の送受信、およびアフィリエイト事業者サーバ１０８への成約情報の送信を行う。アフィリエイト処理部４０６は、アフィリエイト事業者サーバ１０８から販売手数料の明細情報を受信した場合、各紹介者の販売手数料を判断して、各紹介者のサーバに、販売手数料に関する情報を送信する。
【００３６】
次に、図６ないし図８を参照し、本実施形態に係るカード取引処理の詳細を説明する。以下では、一連のカード取引処理を、カード取引システムとしてのフロー、アフィリエイト・システムとしてのフロー、販売手数料に応じたポイント付与のフローという３つの観点から図面を分けて説明する。なお、後述する取引処理においては、取引者間および各コンピュータシステムに以下の２つの条件が満たされているものと仮定する。
（１）ネット販売店舗サーバ１０６において構築された仮想的な店舗は、カード会社サーバ１０４を管理するカード会社の加盟店である。したがって、仮想的な店舗でカード会社サーバ１０４を管理するカード会社が発行したカード決済が可能である。また、カード会社サーバ１０４は販売店舗の加盟店番号を保持しており、カード会社サーバ１０４はこの加盟店番号を使用して仮想的な店舗を識別する。
（２）カード会社は、アフィリエイト事業者が提供するアフィリエイトサービスに参加する紹介者である。この紹介者としてのサービスは、カード会社サーバ１０４を通じて提供される。即ち、カード会社サーバ１０４は、カード会員専用のホームページに、商品固有のリンクを含む簡単なカタログを用意している。したがって、カード会員がクライアント１０２を使用してカード会社サーバ１０４にログインし、専用のホームページにおいて当該カタログを閲覧し、購入を希望する商品（以下、「購入希望商品」という）のリンクを選択することにより、ネット販売店舗サーバ１０６へアクセスし、購入希望商品の購入取引を行うことができる。そして、このような処理により、カード会社サーバ１０４によるカード会員のネット販売店舗サーバ１０６への誘導が達成される。ネット販売店舗サーバ１０６を使用して仮想的な店舗を運営する販売店舗は、誘導された顧客との間で決済取引の契約が成立した場合、紹介者であるカード会社に販売手数料を支払うことになる。
【００３７】
(カード取引フロー)
まず、図６を参照し、本実施形態に係るカード取引システムとしてのフローの詳細を説明する。  
クライアント１０２がネット販売店舗サーバ１０６へアクセスすると、ネット販売店舗サーバ１０６は、ネット店舗処理部４０２においてクライアント１０２にＨＴＭＬファイルを送信し、商品の詳細なカタログを表示させることで、カード会員に商品の購入を促す（ステップＳ７０１）。
【００３８】
カード会員はクライアント１０２から購入希望商品の情報、およびカード番号をネット販売店舗サーバ１０６に送信する(ステップＳ７０２)。ネット販売店舗サーバ１０６の販売処理部４０２は、受信したカード番号および購入希望商品の金額と、加盟店番号とをカード会社サーバ１０４に送信することにより、カード会社サーバ１０４に与信を依頼する。カード会社１０４は決済処理部３０４において、受信した依頼に応答して与信を行い、その回答をネット販売店舗サーバ１０６に返信する（ステップＳ７０６）。取引が承認された場合に取引契約が成立する。この場合、決済処理部３０４は記憶部３１２に記憶された売上情報テーブルに受信した情報を追加すると共に、カード番号と購入された商品の金額をポイント処理部３０８に渡す（ステップＳ７０８）。ポイント処理部３０８は、受信した金額に応じたポイント数をカード会員に付与するため、記憶部３１２に記憶されたポイント情報テーブルを更新する。売上情報テーブルに蓄積された情報は、一定期間毎に銀行にカード利用額を引落とす際に利用される。
【００３９】
（アフィリエイトフロー）
次に、図７を参照し、本実施形態に係るネットワークシステムにおけるアフィリエイト・システムとしてのフローの詳細を説明する。  
まず、カード会員がクライアント１０２を操作して、カード会社サーバ１０４へアクセスする。
【００４０】
カード会社サーバ１０４では、ウェブサーバ処理部３０２において、アクセスを受けたクライアント１０２に対しログイン情報の入力を要求する。ここで、入力の要求は、クライアントのディスプレイにログイン情報の入力を促すためのＨＴＭＬファイルをダウンロードすることにより実現される。
【００４１】
カード会員がクライアント１０２を通じてログイン情報を送信すると、ウェブサーバ処理部３０２は、記憶部３１２に記憶した会員情報テーブルに基づき、受信したログイン情報の認証を行う。そして、認証されたクライアント１０２に対し、会員専用のホームページを表示させるためのＨＴＭＬファイルをダウンロードする。ホームページを表示するためのＨＴＭＬファイルには、潜在的顧客がネット販売店舗サーバ１０６で購入を始めるための商品固有の識別情報およびリンクを含むカタログが設けられている。ここで、上記会員専用のホームページには、ネット販売店舗サーバ１０６を使用して販売店舗が販売する商品の簡単なカタログの他、顧客の誘導を促すための他の情報（例えば会員専用のホームページからネット販売店舗サーバにアクセスして商品を購入するとポイント数が通常より多く付与されるといった情報）を表示させるものとしても良い。
【００４２】
以上の処理により、クライアント１０２によるカード会社サーバ１０４へのアクセスが可能となる一方、カード会社サーバ１０４はクライアントに対し、ログインしたクライアント１０２を通じてカード会員を店舗サイトへ誘導するための情報を提示する（ステップＳ６０２）。
【００４３】
カード会員がカード会社サーバ１０４による情報の提示に基づいて商品の購入を希望する場合は、クライアント１０２を操作してホームページ上の対応するリンクを選択する。この選択操作に応じて、クライアント１０２はネット販売店舗サーバ１０６へアクセスする（ステップＳ６０４）。
【００４４】
ネット販売店舗サーバ１０６は、ネット店舗処理部４０２においてクライアント１０２にＨＴＭＬファイルを送信し、商品の詳細なカタログを表示させることで、商品の購入を促す。カード会員はクライアント１０２から購入希望商品の識別情報とカード番号とをネット販売店舗サーバ１０６に送信することにより、決済取引を要求する。クライアントからの情報の送信は、周知の手法を使用してＨＴＭＬファイルを設計することにより実現される。例えばネット販売店舗サーバ１０６から、識別情報およびカード番号の入力エリアと、周知の送信ボタンを含むウェブページのＨＴＭＬをクライアント１０２に送信し、クライアント１０２ではこのウェブページに必要な情報を入力して送信ボタンを押下すると入力した情報を送信するように、ＨＴＭＬファイルを設計することができる。
【００４５】
ネット販売店舗サーバ１０６は、受信したカード番号および指定された商品の金額と、加盟店番号とをカード会社サーバ１０４に送信し、カード会社サーバ１０４に与信を依頼する。カード会社１０４は受信した情報に基づき与信処理を行い、その回答をネット販売店舗サーバ１０６に返信する。ここで取引が承認された場合に取引契約が成立する。このようなクライアント１０２とネット販売店舗サーバ１０６との商品購入に関する情報の送受信は、通常の電子商取引に関する技術が使用される。
【００４６】
ネット店舗処理部４０２は、成立した取引の相手が紹介者の誘導によりネット販売店舗にアクセスしてきたかどうかを判断する。
【００４７】
この判断は、周知のｃｏｏｋｉｅの機能を使用して実現することができる。この場合、カード会社サーバ１０４はステップＳ６０２において、カード会社サーバ１０４にアクセスしたことを示す情報ファイルをクライアント１０２に送信し記憶させておく。一方、ステップＳ６０４ではネット販売店舗サーバ１０６がクライアント１０２に記憶された情報ファイルを参照する。ネット販売店舗サーバ１０６はこの情報ファイルから、クライアント１０２が自装置にアクセスする前にカード会社サーバ１０４のホームページにアクセスしてきたことを知り、ネット販売店舗サーバ１０６は、このクライアント１０６をカード会社サーバ１０４から誘導されてきたと判断する。
【００４８】
また、会員専用のホームページに設けられたリンクを選択すると、クライアント１０２がネット販売店舗サーバ１０６へアクセスする際に、カード会社サーバ１０４へアクセスしたことを示す情報を送信するようにＨＴＭＬファイルを設計してもよい。
【００４９】
ネット販売店舗サーバ１０６は、決済取引の成立したカード会員のクライアント１０２がカード会社サーバ１０４から誘導されてきたと判断された場合、成約に関する情報をアフィリエイト事業者サーバ１０８に送信する（ステップＳ６０６）。ここで、成約に関する情報は販売店舗、成約した決済取引の数等を含んでいる。
【００５０】
アフィリエイト事業者サーバ１０８は受信した成約情報に基づき、販売店舗から紹介者へ支払われる販売手数料を含む明細情報を定期的に作成し、この情報をネット販売店舗サーバ１０６へ送信する（ステップＳ６０８）。この情報を受信したネット販売店舗サーバ１０６は、アフィリエイト処理部４０６において販売手数料の明細情報を送信する。
【００５１】
（販売手数料に応じたポイント付与のフロー）
次に、図８を参照し、本実施形態に係るネットワークシステムにおける販売手数料に応じたポイント付与のフローの詳細を説明する。
【００５２】
カード会社サーバ１０４は、ログインしてきたクライアント１０２のログイン情報を突合部３０６に渡す（ステップＳ８０２）。突合部３０６は、受信したログイン情報を一時的に保持する。ここで、ログイン情報を保持する時間は、クライアントによるログイン開始から一定時間とする。
【００５３】
ネット販売店舗サーバ１０６へ誘導されたクライアント１０２が商品購入の決済取引を要求すると、ネット販売店舗サーバ１０６からカード会社サーバ１０４へ売上情報が送信される。ここで、売上情報は会員番号、販売店舗の加盟店番号、購入額を含んでいる。
【００５４】
決済が成立した場合、決済処理部３０４から突合部３０６に売上情報を渡す（ステップＳ８０４）。
【００５５】
突合部３０６では、一時的に保持したログイン情報と、決済処理部３０４から渡された売上情報とを用いて、受信した売上情報が、誘導されたカード会員の購入取引に関するものであるか判断する。この判断の結果、誘導されたカード会員に関する売上情報であると判断された場合、突合部３０６はカード番号をアフィリエイト処理部３１０に渡す。ポイント処理部３０８は、カード番号に対応するカード会員に、販売店舗から支払われる販売手数料に応じたポイントを付与するため、ポイント情報テーブルを更新する（ステップＳ８０６）。
【００５６】
ここで各紹介者に付与されるポイント、即ちユーザに対応するポイント情報の更新内容は合算して記憶され、次に述べるように定期的な経理確認のために使用される。アフィリエイト処理部３１０は、図７のステップＳ６１０でネット販売店舗サーバ１０６から受信した手数料に関する情報、即ち明細情報から販売手数料を抽出し、突合部３０６に渡す（ステップＳ８１０)。突合部３０６は、アフィリエイト処理部３１０から受け取った販売手数料と、合算されたポイントとを用いて、各紹介者に付与したポイントの妥当性を確認する。
【００５７】
こうしてカード会社サーバ１０２は、受信した売上情報に基づき、ネット販売店舗サーバ１０６へと誘導された各ユーザに対応するポイント数を決定する。そして、ネット販売店舗サーバ１０６から、ユーザの誘導に基づき発生する手数料に関する情報を受信し、受信した手数料に関する情報を用いて、決定されたポイント数を確認する。したがって、カード会社は、紹介者として得た手数料を優待原資として、カード会員にポイントを付与することが可能となる。
【００５８】
以上、本発明の好適な実施の形態を説明したが、本発明は上述の実施形態に限定されず、他の種々の形態でも実施可能であることはいうまでもない。例えば、ネット販売店舗サーバは、複数の販売店舗サイトを含んでも良い。
【００５９】
また、本発明は、アフィリエイト事業者およびネット販売店舗の実体が１つである場合にも実施することができる。この場合、上述のアフィリエイト事業者サーバにより実行されていた明細情報の作成が、ネット販売店舗サーバにて行われることとなる。
【００６０】
また、カード会員に対する優待はポイントに限られない。例えば優待としてキャッシュバックを採用する場合、会社サーバ１０２は会員番号と変換すべき金額とを対応付けて記憶し、これを手数料に応じて更新することで、本発明の処理を実現する。
【図面の簡単な説明】
【００６１】
【図１】本発明の一実施形態に係るネットワークシステムのシステム構成を示す図である。
【図２】本発明の一実施形態に係るネットワークシステムに含まれるコンピュータシステムのハードウェア構成を示すブロック図である。
【図３】本発明の一実施形態に係るカード会社サーバの機能構成を示すブロック図である。
【図４】カード会社サーバの記憶部に記憶されたテーブルの一例を示す図である。
【図５】本発明の一実施形態に係るネット販売店舗サーバの機能構成を示すブロック図である。
【図６】本発明の一実施形態に係るカード取引フローを示す図である。
【図７】本発明の一実施形態に係るアフィリエイトのフローを示す図である。
【図８】本発明の一実施形態に係る販売手数料に応じたポイント付与のフローを示す図である。
【符号の説明】
【００６２】
１  ネットワークシステム
１００  ネットワーク
１０２  クライアント
１０４  カード会社サーバ
１０６  ネット販売店舗サーバ
１０８  アフィリエイト事業者サーバ
２００  コンピュータシステム
２０２  ＣＰＵ
２０４  ＲＯＭ
２０６  ＲＡＭ
２０８  ＨＤドライブ
２１０  ＦＤドライブ
２１２  システムバス
２１４  ディスプレイ
２１５  キーボード
２１６  マウス
２１８  通信インタフェース
３０２  ウェブサーバ部
３０４  決済処理部
３０６  突合部
３０８  ポイント処理部
３１０  アフィリエイト処理部
３１２  記憶部
４０２  ネット店舗処理部
４０４  販売処理部
４０６  アフィリエイト処理部
【図１】
2005165786.tif 000003
【図２】
2005165786.tif 000004
【図３】
2005165786.tif 000005
【図４】
2005165786.tif 000006
【図５】
2005165786.tif 000007
【図６】
2005165786.tif 000008
【図７】
2005165786.tif 000009
【図８】
2005165786.tif 000010